(57)【要約】【課題】    本発明の目的は、ゼリー状部材を必要とせず、しかも、擬似果肉部材の固定位置を容易に行うことができる果肉ゼリーの食品サンプルの製造方法を提供するものである。【解決手段】    果肉ゼリーの食品サンプルの製造方法は、透明又は半透明の凹形状の容器１の底内壁１ａに果肉を模した擬似果肉部材２を複数接着して、果肉ゼリーの食品サンプルＳを製造するものである。【選択図】図１
2015090381.tif 000002
【特許請求の範囲】
【請求項１】
透明又は半透明の凹形状の容器の底内壁に果肉を模した擬似果肉部材を複数接着して、果肉ゼリーの食品サンプルを製造する
ことを特徴とする果肉ゼリーの食品サンプルの製造方法。   
【請求項２】
透明又は半透明の凹形状の容器の底内壁に果肉を模した複数の擬似果肉部材のそれぞれの底外壁を接着して、果肉ゼリーの食品サンプルを製造し、載置台に前記容器の開口部が面するように前記容器を載置し、前記容器の底外壁面をディスプレーするものであり、前記擬似果肉部材は前記容器の開口面側に開口した凹形状である
ことを特徴とする果肉ゼリーの食品サンプルのディスプレー方法。  
【請求項３】
透明又は半透明の凹形状の容器の底内壁に果肉を模した擬似果肉部材を複数接着して、前記擬似果肉部材を固着する
ことを特徴とする果肉ゼリーの食品サンプル。   
【請求項４】
透明又は半透明の凹形状の着色された容器の底内壁に果肉を模した複数の擬似果肉部材のそれぞれの底外壁を接着して、前記擬似果肉部材を固着するもので、前記擬似果肉部材は前記容器の開口面側に開口した凹形状である
ことを特徴とする果肉ゼリーの食品サンプル。 
【請求項５】
透明又は半透明の凹形状の容器の底内壁に被装飾部材を接着して、前記凹形状の容器の開口部を閉塞する蓋部材で覆って装身具に用いられる装飾体を製造する
ことを特徴とする装飾体の製造方法。
【請求項６】
蓋部材を透明又は半透明の部材で形成することを特徴とする請求項５記載の装飾体の製造方法。
【請求項７】
透明又は半透明の凹形状の容器の底内壁に被装飾部材を載置し、前記被装飾部材を覆うと共に、前記凹形状の容器内に透明又は半透明の充填材を充填して装飾体を製造する
ことを特徴とする装飾体の製造方法。
【請求項８】
被装飾部材の上に透明の接着剤を介して、第１の被装飾部材を接着させることを特徴とする請求項５〜７の何れか一つの装飾体の製造方法。
【発明の詳細な説明】
【技術分野】
【０００１】
本発明は、果肉ゼリーの食品サンプルの製造方法、果肉ゼリーの食品サンプルのディスプレー方法及び果肉ゼリーの食品サンプルに係り、特に、ゼリー状部材を必要とせず、しかも、擬似果肉部材の固定位置を容易に行うことができる果肉ゼリーの食品サンプルの製造方法、果肉ゼリーの食品サンプルのディスプレー方法及び果肉ゼリーの食品サンプルに関する。
【背景技術】
【０００２】
従来、本物の果肉ゼリーに似せた果肉ゼリーの食品サンプルは、容器内に果肉を模した擬似果肉部材をゼリー状部材で閉じ込めるようにしている。
【発明の概要】
【発明が解決しようとする課題】
【０００３】
そのため、果肉ゼリーの食品サンプルにあっては、擬似果肉部材、ゼリー状部材、容器等が必要で、しかも、ゼリー状部材で擬似果肉部材を所定の位置に閉じ込めなければ、ならないという問題点が生じていた。
【０００４】
本発明は、前記問題点を考慮してなされたもので、ゼリー状部材を必要とせず、しかも、擬似果肉部材の固定位置を容易に行うことができる果肉ゼリーの食品サンプルの製造方法、果肉ゼリーの食品サンプルのディスプレー方法及び果肉ゼリーの食品サンプルを提供することを目的とする。
【課題を解決するための手段】
【０００５】
請求項１記載の果肉ゼリーの食品サンプルの製造方法は、透明又は半透明の凹形状の容器の底内壁に果肉を模した擬似果肉部材を複数接着して、果肉ゼリーの食品サンプルを製造するものである。
【０００６】
また、請求項２記載の果肉ゼリーの食品サンプルのディスプレー方法は、透明又は半透明の凹形状の容器の底内壁に果肉を模した複数の擬似果肉部材のそれぞれの底外壁を接着して、果肉ゼリーの食品サンプルを製造し、載置台に前記容器の開口部が面するように前記容器を載置し、前記容器の底外壁面をディスプレーするものであり、前記擬似果肉部材は前記容器の開口面側に開口した凹形状である。
【０００７】
また、請求項３記載の果肉ゼリーの食品サンプルは、透明又は半透明の凹形状の容器の底内壁に果肉を模した擬似果肉部材を複数接着して、前記擬似果肉部材を固着するものである。
【０００８】
また、請求項４記載の果肉ゼリーの食品サンプルは、透明又は半透明の凹形状の着色された容器の底内壁に果肉を模した複数の擬似果肉部材のそれぞれの底外壁を接着して、前記擬似果肉部材を固着するもので、前記擬似果肉部材は前記容器の開口面側に開口した凹形状である
【０００９】
また、請求項５記載の装飾体の製造方法は、透明又は半透明の凹形状の容器の底内壁に被装飾部材を接着して、前記凹形状の容器の開口部を閉塞する蓋部材で覆って装身具に用いられる装飾体を製造するものである。
【００１０】
また、請求項６記載の装飾体の製造方法は、請求項５記載の装飾体の製造方法において、蓋部材を透明又は半透明の部材で形成するものである。
【００１１】
また、請求項７記載の装飾体の製造方法は、透明又は半透明の凹形状の容器の底内壁に被装飾部材を載置し、前記被装飾部材を覆うと共に、前記凹形状の容器内に透明又は半透明の充填材を充填して装飾体を製造するものである。
【００１２】
また、請求項８記載の装飾体の製造方法は、請求項５〜７の何れか一つの装飾体の製造方法において、被装飾部材の上に透明の接着剤を介して、第１の被装飾部材を接着させるものである。
【発明の効果】
【００１３】
請求項１記載の果肉ゼリーの食品サンプルの製造方法によれば、透明又は半透明の凹形状の容器の底内壁に果肉を模した擬似果肉部材を複数接着するため、ゼリーを模した擬似ゼリーを容器内に設けなくても、透明又は半透明の容器を介して容器内を見れば、ゼリーにより擬似果肉部材が閉じ込められているように見え、ゼリーを模した擬似ゼリー部材を必要としないで果肉ゼリーの食品サンプルを製造することができる等の効果を奏する。
【００１４】
また、請求項２記載の果肉ゼリーの食品サンプルのディスプレー方法によれば、透明又は半透明の凹形状の容器の底内壁に果肉を模した複数の擬似果肉部材のそれぞれの底外壁を接着して、果肉ゼリーの食品サンプルを製造し、載置台に前記容器の開口部が面するように前記容器を載置し、前記容器の底外壁面をディスプレーするもので、前記擬似果肉部材は前記容器の開口面側に開口した凹形状であるため、ゼリーを模した擬似ゼリーを容器内に設けなくても、透明又は半透明の容器を介して容器内を見れば、ゼリーにより擬似果肉部材が閉じ込められているように見え、ゼリーを模した擬似ゼリー部材のみならず容器の開口部を覆う蓋材をも必要とせず、しかも、擬似果肉部材は、凹形状であるため、凹んでいる分、擬似果肉部材の素材の低減化をも図ることができる等の効果を奏する。
【００１５】
また、請求項３記載の果肉ゼリーの食品サンプルによれば、透明又は半透明の凹形状の容器の底内壁に果肉を模した擬似果肉部材を複数接着するため、ゼリーを模した擬似ゼリーを容器内に設けなくても、透明又は半透明の容器を介して容器内を見れば、ゼリーにより擬似果肉部材が閉じ込められているように見え、ゼリーを模した擬似ゼリー部材を必要としないで果肉ゼリーの食品サンプルを製造することができる等の効果を奏する。
【００１６】
また、請求項４記載の果肉ゼリーの食品サンプルによれば、透明又は半透明の凹形状の着色された容器の底内壁に果肉を模した複数の擬似果肉部材のそれぞれの底外壁を接着して、前記擬似果肉部材を固着するもので、前記擬似果肉部材は前記容器の開口面側に開口した凹形状であるため、ゼリーを模した擬似ゼリーを容器内に設けなくても、透明又は半透明の容器を介して容器内を見ることとなり、ゼリーにより擬似果肉部材が閉じ込められているように見え、ゼリーを模した擬似ゼリー部材のみならず容器の開口部を覆う蓋材をも必要とせず、しかも、擬似果肉部材は、凹形状であるため、凹んでいる分、擬似果肉部材の素材の低減化をも図ることができる等の効果を奏する。
【００１７】
また、請求項５記載の装飾体の製造方法によれば、透明又は半透明の凹形状の容器の底内壁に被装飾部材を接着するため、充填材を容器内に設けなくても、透明又は半透明の容器を介して容器内を見れば、充填材により被装飾部材が閉じ込められているように見え、充填材を必要としないで装身具に用いられる装飾体を製造することができる等の効果を奏する。
【００１８】
また、請求項６記載の装飾体の製造方法によれば、上述した請求項５記載の発明の効果に加え、蓋部材を透明又は半透明の部材で形成するため、蓋部材と、この蓋部材と反対の面の両面を装身具として利用することができる。
【００１９】
また、請求項７記載の装飾体によれば、透明又は半透明の凹形状の容器の底内壁に被装飾部材を載置し、前記被装飾部材を覆うと共に、前記凹形状の容器内に透明又は半透明の充填材を充填するため、透明又は半透明の凹形状の容器の底外壁と、この底外壁と反対の面の両面を装身具として利用することができる。
【００２０】
また、請求項８記載の装飾体の製造方法によれば、上述した請求項５〜７記載の発明の効果に加え、被装飾部材の上に透明の接着剤を介して、第１の被装飾部材を接着させるため、被装飾部材を少なくとも二層に亘って配置することができ、装飾効果をより高めることができる。
【図面の簡単な説明】
【００２１】
【図１】図１は、本発明の一実施例の果肉ゼリーの食品サンプルのディスプレー方法を示す概略的斜視図である。
【図２】図２は、図１の容器の底内壁に接着剤を塗布する状態を示す概略的断面図である。
【図３】図３は、接着剤を図２の容器の底内壁及び側方内壁に塗布した状態を示す概略的断面図である。
【図４】図４は、擬似果肉部材を図３の容器に固着する状態を示す概略的断面図である。
【図５】図５は、擬似果肉部材を図４の容器に固着した状態を示す概略的断面図である。
【図６】図６は、図５の概略的斜視図である。
【図７】図７は、本発明の一実施例の装飾体の製造方法によって製造された装飾体の概略的斜視図である。
【図８】図８は、図７の装飾体を製造する一過程を示すもので、容器の底内壁に接着剤を塗布する状態を示す概略的断面図である。
【図９】図９は、被装飾部材を図８の容器に固着する状態を示す概略的断面図である。
【図１０】図１０は、被装飾部材を図９の容器に固着した状態を示す概略的断面図である。
【図１１】図１１は、図１０の容器の開口部を蓋部材で覆う前の状態を示す概略的断面図である。
【図１２】図１２は、図１１の容器の開口部を蓋部材で覆い、蓋部材が下方になるように反転させた状態を示す概略的断面図である。
【図１３】図１３は、図７〜図１２記載の実施例と異なる他の実施例の装飾体の製造方法によって製造された装飾体の概略的斜視図である。
【図１４】図１４は、図１３の装飾体を製造する一過程を示すもので、容器の底内壁に接着剤を塗布する状態を示す概略的断面図である。
【図１５】図１５は、被装飾部材を図１４の容器に固着する状態を示す概略的断面図である。
【図１６】図１６は、被装飾部材を図１５の容器に固着した状態を示す概略的断面図である。
【図１７】図１７は、図１６の容器に充填材を充填した状態を示す概略的断面図である。
【図１８】図１８は、図１７の容器に充填材を充填し、充填材の天井面が下方になるように反転させた状態を示す概略的断面図である。
【図１９】図１９は、図７〜図１２記載の実施例と異なる他の実施例の装飾体の製造方法の一過程を示すもので、容器の底内壁に接着剤を塗布する状態を示す概略的断面図である。
【図２０】図２０は、図１９の被装飾部材の上に接着剤を介して第１の被装飾部材を位置させる状態を示す概略的断面図である。
【図２１】図２１は、図２０の被装飾部材の上に接着剤を介して第１の被装飾部材を位置させた状態を示す概略的断面図である。
【図２２】図２２は、図２１の容器の開口部を蓋部材で覆う前の状態を示す概略的断面図である。
【図２３】図２３は、図２１の容器の開口部を蓋部材で覆い、蓋部材が下方になるように反転させた状態を示す概略的断面図である。
【図２４】図２４は、図１３〜図１８記載の実施例と異なる他の実施例の装飾体の製造方法の一過程を示すもので、容器の底内壁に接着剤を塗布する状態を示す概略的断面図である。
【図２５】図２５は、図２４の被装飾部材の上に接着剤を介して第１の被装飾部材を位置させる状態を示す概略的断面図である。
【図２６】図２６は、図２５の被装飾部材の上に接着剤を介して第１の被装飾部材を位置させた状態を示す概略的断面図である。
【図２７】図２７は、図２６の概略的正面図である。
【図２８】図２８は、図２７の充填材の天井面が下方になるように反転させた状態を示す概略的正面図である。
【図２９】図２９は、図１４の他の実施例の概略的断面図である。
【図３０】図３０は、図２９の容器の底内壁に被装飾部材を接着させる状態を示す概略的断面図である。
【発明を実施するための形態】
【００２２】
本発明の一実施例の果肉ゼリーの食品サンプルの製造方法、果肉ゼリーの食品サンプルのディスプレー方法及び果肉ゼリーの食品サンプルについて、図面を参照して以下説明する。
なお、果肉ゼリーの食品サンプルは、実物の果肉ゼリー（マンゴー、ミカン、桃等の果肉をゼリー状部材で閉じ込めた食材）の形に似せて作ったもので、例えば、食品にあっては、飲食店の店頭あるいは店内に陳列される料理の模型である食品サンプルである。
【００２３】
図１、図５及び図６に示すＳは果肉ゼリーの食品サンプルで、果肉ゼリーの食品サンプルＳは、透明又は半透明の凹形状の容器１の底内壁１ａに果肉を模した擬似果肉部材２を複数接着して、擬似果肉部材２を固着したものである（図１、図４、図５、図６参照）。容器１は、例えば、合成樹脂製である。
擬似果肉部材２は、全体形状が果肉を模した形状が良いが、ディスプレーする場合、容器１を反転させるため、望ましくは、見えない部分を欠如するよう容器１の開口部１Ｘに開口する凹形状にしている。２Ｘは擬似果肉部材２の空所である。
なお、擬似果肉部材２は、例えば、シリコン、ＡＢＳ樹脂、ポリプロピレン、ポリスチレン、ポリエチレンテレフタレート、ポリフェニレンエーテル、ポリカーボネイト、ポリアセタール、ポリブチレンテレフタレート、ポリフェニレンサルファイド、ポリエーテルエーテルケトン、液晶ポリマー、フッ素樹脂等の合成樹脂で成形されている。
果肉ゼリーの食品サンプルＳをディスプレーする場合、図１に示すように、載置台３に容器１の開口部１Ｘが面するように載置し、容器１の底外壁１Ａをディスプレーするようにする。
【００２４】
即ち、果肉ゼリーの食品サンプルＳのディスプレー方法は、透明又は半透明の凹形状の容器１の底内壁１ａに果肉を模した複数の擬似果肉部材２のそれぞれの底外壁２ａ（図４）を接着し、載置台３に容器１の開口部１Ｘが面するように容器１を載置し、容器１の底外壁面１Ａをディスプレーする（図１参照）。この場合、擬似果肉部材２は容器１の開口部１Ｘに開口した凹形状となっている。
従って、上記した果肉ゼリーの食品サンプルＳのディスプレー方法によれば、ゼリーを模した擬似ゼリーを容器１内に設けなくても、透明又は半透明の容器１を介して容器１内を見れば、ゼリーにより擬似果肉部材２が閉じ込められているように見え、ゼリーを模した擬似ゼリー部材のみならず容器１の開口部を覆う蓋材をも必要とせず、しかも、擬似果肉部材２は、凹形状であるため、凹んでいる分、擬似果肉部材２の素材の低減化をも図ることができる等の効果を奏する。
【００２５】
次に、果肉ゼリーの食品サンプルＳの製造方法について、説明する。
容器１の底内壁１ａにポリビニールアルコール等の接着剤４を塗布する（図２及び図３参照。）
擬似果肉部材３を容器１の底内壁１ａに複数接着して、果肉ゼリーの食品サンプルＳを製造する（図４乃至図６参照。）
擬似果肉部材３を容器１の底内壁１ａのみならず、容器１の側方内壁１ｂに接着するようにしても良い。
【００２６】
なお、上記した果肉ゼリーの食品サンプルＳによれば、透明又は半透明の凹形状の容器１の底内壁１ａに果肉を模した擬似果肉部材２を複数接着するため、ゼリーを模した擬似ゼリーを容器１内に設けなくても、透明又は半透明の容器１を介して容器１内を見れば、ゼリーにより擬似果肉部材２が閉じ込められているように見え、ゼリーを模した擬似ゼリー部材を必要としないで果肉ゼリーの食品サンプルＳを製造することができる。
【００２７】
上記した実施例（図１乃至図６）は果肉ゼリーの食品サンプルＳであるが、本願発明は、これに限らず、ペンダントなどの装身具に用いられる装飾体にも適用することができる（図７乃至図３０）。
【００２８】
（図７乃至図１２）
図７は、装飾体の製造方法によって製造された装飾体Ｓ’の概略的斜視図で、装飾体Ｓ’は、透明又は半透明の凹形状の容器１’の底内壁１’ａに被装飾部材２’を接着して、凹形状の容器１’の開口部１’ｂを閉塞する蓋部材３’で覆ったものである。容器１’は、例えば、合成樹脂製である。
【００２９】
被装飾部材２’は、例えば、シリコン、ＡＢＳ樹脂、ポリプロピレン、ポリスチレン、ポリエチレンテレフタレート、ポリフェニレンエーテル、ポリカーボネイト、ポリアセタール、ポリブチレンテレフタレート、ポリフェニレンサルファイド、ポリエーテルエーテルケトン、液晶ポリマー、フッ素樹脂等の合成樹脂で成形しても良いが、金属で形成しても良い。
【００３０】
次に、装飾体の製造方法について、説明する。
透明又は半透明の凹形状の容器１’の底内壁１’ａに被装飾部材２’を接着する。接着する形態としては、容器１’の底内壁１’ａにポリビニールアルコール等の接着剤４’を塗布（図８参照。）して、被装飾部材２’を容器１’の底内壁１’ａに接着しても良いし（図８乃至図１１）、また、透明又は半透明の凹形状の容器１’の樹脂が柔らかい段階で、図３０に示すように、接着剤４’を使用しないで、被装飾部材２’を容器１’の底内壁１’ａに接着するようにしても良い。
図２９に示すＵは容器１’を成形するための上型材、Ｄは容器１’を成形するための下型材である。
被装飾部材２’を容器１’の底内壁１’ａに接着した後、凹形状の容器１’の開口部１’ｂは、蓋部材３’で覆われ蓋部材３’で閉塞される（図１１及び図１２）。
【００３１】
上記した図７乃至図１２記載の装飾体の製造方法によれば、透明又は半透明の凹形状の容器１’の底内壁１’ａに被装飾部材２’を接着するため、充填材を容器１’内に設けなくても、透明又は半透明の容器１’を介して容器１’内を見れば、充填材により被装飾部材２’が閉じ込められているように見え、充填材を必要としないで装身具に用いられる装飾体を製造することができる等の効果を奏する。
なお、装飾体Ｓ’には、図示しない鎖等のチェーン、ピン等を設けて、身に着けることができる。また、上記した蓋部材３’は不透明体で形成しても良いが、蓋部材３’を透明又は半透明の部材で形成すると、蓋部材３’と、この蓋部材３’と反対の面の両面を装身具として利用することができる。
【００３２】
（図１３乃至図１８）
また、図１３は、装飾体の製造方法によって製造された装飾体Ｓ’の概略的斜視図で、装飾体Ｓ’は、透明又は半透明の凹形状の容器１’の底内壁１’ａに被装飾部材２’を載置（望ましくは、接着）し、被装飾部材２’を覆うと共に、凹形状の容器１’内に透明又は半透明の充填材５’を充填したものである。容器１’は、例えば、合成樹脂製である。
【００３３】
被装飾部材２’は、例えば、シリコン、ＡＢＳ樹脂、ポリプロピレン、ポリスチレン、ポリエチレンテレフタレート、ポリフェニレンエーテル、ポリカーボネイト、ポリアセタール、ポリブチレンテレフタレート、ポリフェニレンサルファイド、ポリエーテルエーテルケトン、液晶ポリマー、フッ素樹脂等の合成樹脂で成形しても良いが、金属で形成しても良い。
【００３４】
次に、装飾体の製造方法について、説明する。
透明又は半透明の凹形状の容器１’の底内壁１’ａに被装飾部材２’を接着する。接着する形態としては、図８乃至図１０と同様、接着する形態としては、容器１’の底内壁１’ａにポリビニールアルコール等の接着剤４’を塗布して、被装飾部材２’を容器１’の底内壁１’ａに接着しても良いし、また、透明又は半透明の凹形状の容器１’の樹脂が柔らかい段階で、図３０に示すように、接着剤４’を使用しないで、被装飾部材２’を容器１’の底内壁１’ａに接着するようにしても良い。
図２９に示すＵは容器１’を成形するための上型材、Ｄは容器１’を成形するための下型材である。
被装飾部材２’を容器１’の底内壁１’ａに載置（望ましくは、接着）した後、被装飾部材２’を覆うと共に、凹形状の容器１’内に透明又は半透明の充填材５’を充填して装飾体を製造する（図１６乃至図１８）。
【００３５】
上記した図１３乃至図１８記載の装飾体の製造方法によれば、透明又は半透明の凹形状の容器１’の底内壁１’ａに被装飾部材２’を載置し、被装飾部材２’を覆うと共に、凹形状の容器１’内に透明又は半透明の充填材５’を充填するため、透明又は半透明の凹形状の容器１’の底外壁１’ｃと、この底外壁１’ｃと反対の面１’ｄの両面を装身具として利用することができる。
【００３６】
上記した実施例（図７乃至図１２、図１３乃至図１８）においては、被装飾部材２’を１層設けたが、本願発明にあっては、これに限らず、２層以上（本実施例では、２層の例を示している。）設けるようにしても良い（図１９乃至図２３、図２４乃至図２８）。
【００３７】
（図１９乃至図２３）
また、図２３は、充填材５’を容器１’内に設けた装飾体の製造方法によって製造された装飾体Ｓ’の概略的斜視図で、装飾体Ｓ’は、透明又は半透明の凹形状の容器１’の底内壁１’ａに被装飾部材２’を載置（望ましくは、接着）し、被装飾部材２’の上に透明の接着剤４”を介して、第１の被装飾部材２”を接着させたものである。容器１’は、例えば、合成樹脂製である。
【００３８】
被装飾部材２’は、例えば、シリコン、ＡＢＳ樹脂、ポリプロピレン、ポリスチレン、ポリエチレンテレフタレート、ポリフェニレンエーテル、ポリカーボネイト、ポリアセタール、ポリブチレンテレフタレート、ポリフェニレンサルファイド、ポリエーテルエーテルケトン、液晶ポリマー、フッ素樹脂等の合成樹脂で成形しても良いが、金属で形成しても良い。
【００３９】
次に、装飾体の製造方法について、説明する。
透明又は半透明の凹形状の容器１’の底内壁１’ａに被装飾部材２’を載置する。望ましくは、透明又は半透明の凹形状の容器１’の底内壁１’ａに被装飾部材２’を接着する。接着する形態としては、図８乃至図１０と同様、容器１’の底内壁１’ａにポリビニールアルコール等の接着剤４’を塗布して、被装飾部材２’を容器１’の底内壁１’ａに接着しても良いし、また、透明又は半透明の凹形状の容器１’の樹脂が柔らかい段階で、図３０に示すように、接着剤４’を使用しないで、被装飾部材２’を容器１’の底内壁１’ａに接着するようにしても良い。
図２９に示すＵは容器１’を成形するための上型材、Ｄは容器１’を成形するための下型材である。
被装飾部材２’を容器１’の底内壁１’ａに載置（望ましくは、接着）した後、被装飾部材２’の上に透明の接着剤４”を介して、第１の被装飾部材２”を載置（望ましくは、接着）させる（図２０乃至図２２）。
第１の被装飾部材２”を載置（望ましくは、接着）させた後、凹形状の容器１’の開口部１’ｂは、蓋部材３’で覆われ蓋部材３’で閉塞される（図２１及び図２２）。
【００４０】
上記した図１９乃至図２３記載の装飾体の製造方法によれば、被装飾部材２’の上に透明の接着剤４”を介して、第１の被装飾部材２”を接着させるため、被装飾部材２’、２”を少なくとも二層に亘って配置することができ、装飾効果をより高めることができる。また、上記した蓋部材３’は不透明体で形成しても良いが、蓋部材３’を透明又は半透明の部材で形成すると、蓋部材３’と、この蓋部材３’と反対の面の両面を装身具として利用することができる。
【００４１】
また、図２７及び図２８は、充填材５’を容器１’内に設けた装飾体の製造方法によって製造された装飾体Ｓ’の概略的斜視図で、装飾体Ｓ’は、透明又は半透明の凹形状の容器１’の底内壁１’ａに被装飾部材２’を載置（望ましくは、接着）し、透明又は半透明の充填材５’で被装飾部材２’を覆うと共に、凹形状の容器１’内を充填したものである。容器１’は、例えば、合成樹脂製である。
【００４２】
被装飾部材２’は、例えば、シリコン、ＡＢＳ樹脂、ポリプロピレン、ポリスチレン、ポリエチレンテレフタレート、ポリフェニレンエーテル、ポリカーボネイト、ポリアセタール、ポリブチレンテレフタレート、ポリフェニレンサルファイド、ポリエーテルエーテルケトン、液晶ポリマー、フッ素樹脂等の合成樹脂で成形しても良いが、金属で形成しても良い。
【００４３】
次に、装飾体の製造方法について、説明する（図２４乃至図２８）。
透明又は半透明の凹形状の容器１’の底内壁１’ａに被装飾部材２’を載置する。望ましくは、透明又は半透明の凹形状の容器１’の底内壁１’ａに被装飾部材２’を接着する。接着する形態としては、図１４及び図１５と同様、容器１’の底内壁１’ａにポリビニールアルコール等の接着剤４’を塗布して、被装飾部材２’を容器１’の底内壁１’ａに接着しても良いし、また、透明又は半透明の凹形状の容器１’の樹脂が柔らかい段階で、図３０に示すように、接着剤４’を使用しないで、被装飾部材２’を容器１’の底内壁１’ａに接着するようにしても良い。
図２９に示すＵは容器１’を成形するための上型材、Ｄは容器１’を成形するための下型材である。
被装飾部材２’を容器１’の底内壁１’ａに載置（望ましくは、接着）した後、被装飾部材２’の上に透明の接着剤４”を介して、第１の被装飾部材２”を載置（望ましくは、接着）させる（図２４及び図２５）。
第１の被装飾部材２”を載置（望ましくは、接着）させた後、透明又は半透明の充填材５’で被装飾部材２’を覆うと共に、凹形状の容器１’内を充填し、凹形状の容器１’の開口部１’ｂは閉塞される（図２６）。透明又は半透明の充填材５’は、例えば、ポリビニールアルコール等の接着剤である。
【００４４】
上記した図２４乃至図２８記載の装飾体の製造方法によれば、透明又は半透明の充填材５’を被装飾部材２’で覆って、凹形状の容器１’内を充填するため、透明又は半透明の凹形状の容器１’の底外壁１’ｃと、この底外壁１’ｃと反対の面１’ｄの両面を装身具として利用することができる。
【符号の説明】
【００４５】
Ｓ      果肉ゼリーの食品サンプル
１      容器
１ａ    底内壁
２      擬似果肉部材
【図１】
2015090381.tif 000003
【図２】
2015090381.tif 000004
【図３】
2015090381.tif 000005
【図４】
2015090381.tif 000006
【図５】
2015090381.tif 000007
【図６】
2015090381.tif 000008
【図７】
2015090381.tif 000009
【図８】
2015090381.tif 000010
【図９】
2015090381.tif 000011
【図１０】
2015090381.tif 000012
【図１１】
2015090381.tif 000013
【図１２】
2015090381.tif 000014
【図１３】
2015090381.tif 000015
【図１４】
2015090381.tif 000016
【図１５】
2015090381.tif 000017
【図１６】
2015090381.tif 000018
【図１７】
2015090381.tif 000019
【図１８】
2015090381.tif 000020
【図１９】
2015090381.tif 000021
【図２０】
2015090381.tif 000022
【図２１】
2015090381.tif 000023
【図２２】
2015090381.tif 000024
【図２３】
2015090381.tif 000025
【図２４】
2015090381.tif 000026
【図２５】
2015090381.tif 000027
【図２６】
2015090381.tif 000028
【図２７】
2015090381.tif 000029
【図２８】
2015090381.tif 000030
【図２９】
2015090381.tif 000031
【図３０】
2015090381.tif 000032
【手続補正書】
【提出日】平成27年3月5日(2015.3.5)
【手続補正１】
【補正対象書類名】特許請求の範囲
【補正対象項目名】全文
【補正方法】変更
【補正の内容】
【特許請求の範囲】
【請求項１】
透明又は半透明の凹形状の容器の底内壁に果肉を模した疑似果肉部材を複数接着して、果肉ゼリーの食品サンプルを製造する
ことを特徴とする果肉ゼリーの食品サンプルの製造方法。
【請求項２】
透明又は半透明の凹形状の容器の底内壁に果肉を模した複数の疑似果肉部材のそれぞれの底外壁を接着して、果肉ゼリーの食品サンプルを製造し、載置台に前記容器の開口部が面するように前記容器を載置し、前記容器の底外壁面をディスプレーするものであり、前記疑似果肉部材は前記容器の開口面側に開口した凹形状である
ことを特徴とする果肉ゼリーの食品サンプルのディスプレー方法。
【請求項３】
透明又は半透明の凹形状の容器の底内壁に果肉を模した疑似果肉部材を複数接着して、前記疑似果肉部材を固着する
ことを特徴とする果肉ゼリーの食品サンプル。
【請求項４】
透明又は半透明の凹形状の着色された容器の底内壁に果肉を模した複数の疑似果肉部材のそれぞれの底外壁を接着して、前記疑似果肉部材を固着するもので、前記疑似果肉部材は前記容器の開口面側に開口した凹形状である
ことを特徴とする果肉ゼリーの食品サンプル。